(57)【要約】      （修正有）【課題】スロットマシン、パチンコ等の遊技店で使用される玉箱であって、簡単な構造ながら、箱全体をしっかりと安定的に保持できる実用性の高い玉箱を提供する。【解決手段】底板２と底板を囲む側壁部を備え、左右両側には外方へ突出する取っ手５を設けた玉箱であって、取っ手の下方の側壁部の内側に底板の下面が露出する空間部１０を形成するとともに、空間部を仕切る側壁部３ａの下端部には、取っ手に掛けた手の指先を底板の下面に当接させるように通すことのできる案内部（凹部１６）を設けた。【選択図】図４
0003190617.tif 000002
【実用新案登録請求の範囲】
【請求項１】
底板と該底板を囲む側壁部を備え、左右両側には外方へ突出する取っ手を設けた玉箱であって、前記取っ手の下方の側壁部の内側に底板の下面が露出する空間部を形成するとともに、該空間部を仕切る側壁部の下端部には、取っ手に掛けた手の指先を前記底板の下面に当接させるように通すことのできる案内部を設けたことを特徴とする玉箱。
【請求項２】
玉箱の上面に位置決め用の穴と該穴に嵌合する突起を設け、これら穴と突起とは、同種の玉箱を上下反転して被せたときに上下の玉箱の穴と突起とが互いに嵌合するように配置し、また、穴を利用して他の部材の取り付けが可能とした請求項1に記載の玉箱。
【考案の詳細な説明】
【技術分野】
【０００１】
本考案は、スロットマシン、パチンコ等の遊技店でメダルやパチンコ玉の収容に使用される玉箱に関するものである。
【背景技術】
【０００２】
パチンコ店等で使用される玉箱としては、底板と該底板を囲む周壁部とからなる合成樹脂製の箱が一般的である。この種の玉箱は、平面視概略長方形で、上に開口しており、左右両側に外方に突出する取っ手が一体に形成されている。
【０００３】
この玉箱内には勝ち取ったメダルや玉を収容して持ち運びするが、メダル等の量が多くなると、重量が大きくなるため、力の弱い女性でも楽に持ち運びできるものが好ましい。なお、この種の玉箱の取り扱いに便利なものとして、下記特許文献に記載のものが考えられている。
【０００４】
特許文献1に記載のものは、箱本体の両側に把手を一体的に成形したもので、前記把手の基部には複数の指が挿入可能で上下に貫通する指掛け穴を設け、その外側に手で握る握り部を形成し、該握り部の上面側には前後方向に指を添わせられる浅い溝状の凹部を設けるとともに、その下面側には複数の指を掛けることのできる左右方向の浅い溝状の凹部を設けたものである。
【先行技術文献】
【特許文献】
【０００５】
【特許文献１】特開平９−４７５６８号公報
【考案の概要】
【考案が解決しようとする課題】
【０００６】
上記特許文献１に記載されているものは、両側の握り部をしっかりと握ることができるので、玉の量が多くて重いものでも楽に持ち運びすることが可能な、便利なものであるが、箱の上部の両側に張出した握り部だけを支持するものであるから、設計によっては握り部の強度が不足するおそれがあり、また、箱の玉収容部から離れた部分を支持するので、持ち運び時の安定性が不足しがちであるという問題点があった。
【０００７】
そこで本考案は、簡単な構造ながら、玉箱全体をしっかりと安定的に保持できる実用性の高い玉箱を提供することを課題としている。
【課題を解決するための手段】
【０００８】
上記課題を解決するため、本考案は次のような構成を採用した。すなわち、本考案にかかる玉箱は、底板と該底板を囲む側壁部を備え、左右両側には外方へ突出する取っ手を設けた玉箱であって、前記取っ手の下方の側壁部の内側に底板の下面が露出する空間部を形成するとともに、該空間部を仕切る側壁部の下端部には、取っ手に掛けた手の指先を前記底板の下面に当接させるように通すことのできる案内部を設けたことを特徴としている。
【０００９】
また、請求項２に記載のパチンコ玉箱は、請求項１に記載の玉箱であって、玉箱の上面に、一決め用の穴と該穴に嵌合する突起を設け、これら穴と突起とは、同種の玉箱を上下反転して被せたときに上下の玉箱の穴と突起とが互いに嵌合するように配置し、また、穴を利用して他の部材の取付けが可能としたことを特徴としている。
【考案の効果】
【００１０】
本考案に係るパチンコ玉箱は、玉箱本体の左右両側に取っ手を設けるとともに、該取っ手の下方の底面に下側から指を入れることのできる凹部を設けたので、取っ手に掌部分を係合させた状態でその手の指を下方へ伸ばして前記凹部へ係合させることにより、玉箱本体の底面を支持することができる。メダル等を収容した玉箱本体の底部を指で支持するので、しっかりと持ち上げることができ、安定して持ち運びすることができる。
【００１１】
上記請求項2に記載のように、玉箱の外周部上面に固定用の穴と突起を設けておけば、大量のメダル等を入れてこぼれそうになった場合に、同種の玉箱を上下反転して被せ、前記突起を穴に嵌合させておくことにより、内容物がこぼれないように保持することができるので便利である。また、
遊技機の上に余分の玉箱を載せて用意しておく場合にも、上記のように同種の箱二つを重ね合わせておくことができるので便利である。さらに、穴を利用してＩＣ部材等を取付けることができるという利点もある。
【図面の簡単な説明】
【００１２】
【図１】本考案の実施形態を表す斜視図である。
【図２】その平面図である。
【図３】その側面図である。
【図４】その底面斜視図である。
【図５】手で持った状態を表わす側面図である。
【図６】二つの玉箱を上下に重ね合わせた状態を表わす斜視図である。
【考案を実施するための最良の形態】
【００１３】
以下、本考案の好ましい実施形態について具体的に説明する。この玉箱１は、図1、図2、図3、図4に示すように、底板２と周壁部３とで上に開口する長方形状に形成された玉箱本体１aの左右両側に一対の取っ手5，5が一体に設けられている。底板２は、上に凸な曲面に形成されているので、メダル等を入れたとき、その分持ち上がり、実際よりも量が多く見えるという利点がある。底板２の適所には角型の穴４が形成されているが、これは、必要により静電気を逃がすためのアース棒を挿通する穴である。なお、玉箱１の材質は、例えばポリカーボネート、ABS、ポリエチレン、ポリプロピレン、アクリル、ポリスチレン等、適度の強度を有する合成樹脂である。
【００１４】
左右両端部の周壁部３の上部には、断面角型筒状の取っ手５が設けられているが、この取っ手５の握り部６上面部には傾斜状の凹部７が形成されており、下面部には指がなじむような４個の円弧状の凹部８が形成されている。図4に示すように、取っ手５の握り部６と箱本体との間には、下側から指を挿入することのできる空間部１０が形成されている。したがって、握り部６の端面に掌をあてがって4本の指を前記空間部１０に下側から挿入することにより、握り部６を握った状態とすることができる。この場合、親指は握り部６の上面に形成した傾斜状の凹部７に載せておけばよい。
【００１５】
玉箱本体の底面側には、上記のとおり、空間部１０が形成されているが、この空間部１０は、玉箱の周壁部3をなす左右端部の壁面の垂下部３a下端部と玉箱1の底板2の下面側に設けた仕切り状のリブ15との間に形成されている。前記壁面の下端部は上に隆起した底板2よりも垂下しており、その下端縁部には指を掛けるための円弧状の凹部１６が4個形成されている。この垂下部と仕切り状のリブ15との間に下側から4本の指を入れることができる。場合によっては入れる指の数は4本に限らず3本以下でもよいので、凹部１６の形状は4個の円弧状にかぎらず、長方形や楕円弧等でもよい。また、玉箱１の底板２とリブ１５より形成される空間部１０は、取っ手５の壁面とは違う壁面に設け、四方向から持ち上げることができるようにしておいてもよい。
【００１６】
玉箱1の最上面は、取っ手５の上面から側壁部の上部に一体に形成したリブ１８の上面まで含めて同一平面となっている。そして、取っ手５の付け根部には、図２に示すように、三角形状の穴２０と該穴２０に嵌合する突起２１とが対称的に設けられている。これらは、玉箱1の上側に同種の他の玉箱1を上下反転して被せた時に、互いの突起２１が穴２０に嵌り合うように形成されている。なお、穴20の回りには、突起21の高さと同じ高さの囲い２０aが形成されている。このため、図6に示すように、玉箱１を逆さまにして台や床の上に載せた時、突起21と穴20の囲い２０aによって本体が若干持ち上げられた上体となり、棚や床の汚れが玉箱1の上面に付着することがない。また、穴20を利用してＩＣタグ等の部品を取付けることが可能である。
【００１７】
この玉箱１は、上記のように、スロット機のメダルやパチンコの玉を入れて保持するために使用される。メダルや玉を入れた玉箱１は、取っ手5を掴んで持ち上げることができるが、さらに、必要に応じて指を伸ばし、指先で玉箱1の底面を支えることができる。このようにすれば、玉箱１の底面を直に持ち上げることになるので、内容物が多かっても安定して持ち上げることができる。また、玉箱の受け渡しや、棚からの取り出しも容易かつ安全である。
【００１８】
以上に説明したように、この玉箱は、簡単な構造ながら持ち運び等の取り扱いに便利なものとなった。図示例の玉箱は、底板2が上に隆起しているので平面よりも強度的に優れているが、場合によっては平面としておいてもよい。なお、上記リブ１５が一体に設けられているので、底板の強度はさらに向上している。
【符号の説明】
【００１９】
１            玉箱
２            底板
３            周壁部
５            取っ手
１０          空間部
【図１】
0003190617.tif 000003
【図２】
0003190617.tif 000004
【図３】
0003190617.tif 000005
【図４】
0003190617.tif 000006
【図５】
0003190617.tif 000007
【図６】
0003190617.tif 000008
【手続補正書】
【提出日】平成26年3月12日(2014.3.12)
【手続補正１】
【補正対象書類名】実用新案登録請求の範囲
【補正対象項目名】請求項２
【補正方法】変更
【補正の内容】
【請求項２】
玉箱の上面に位置決め用の穴と該穴に嵌合する突起を設け、これら穴と突起とは、同種の玉箱を上下反転して被せたときに上下の玉箱の穴と突起とが互いに嵌合するように配置したことを特徴とする請求項１に記載の玉箱
【手続補正２】
【補正対象書類名】明細書
【補正対象項目名】０００９
【補正方法】変更
【補正の内容】
【０００９】
また、請求項２に記載のパチンコ玉箱は、請求項１に記載の玉箱であって、玉箱の上面に位置決め用の穴と該穴に嵌合する突起を設け、これら穴と突起とは、同種の玉箱を上下反転して被せたときに上下の玉箱の穴と突起とが互いに嵌合するように配置したことを特徴としている。